(57)【要約】【課題】簡易な構成や処理で、複数の表示装置からユーザーが所望の表示装置を選択して制御することができる、表示装置を提供する。【解決手段】他の表示装置と共に使用され得る表示装置であって、表示部と、音と、可視または不可視の電磁波と、の少なくとも一つにより伝搬されるコマンドを検出するコマンド検出部と、コマンド処理部と、を備え、コマンド検出部が第１のコマンドを検出したことに応じて、表示部が識別情報を表示し、表示部が識別情報を表示した後に、コマンド検出部が識別情報に対応した第２のコマンドを検出した場合に、コマンド処理部は、所定の処理を行うか、または第３のコマンドを待つ、表示装置である。【選択図】図７
2015172684.tif 000002
【特許請求の範囲】
【請求項１】
他の表示装置と共に使用され得る表示装置であって、
表示部と、
音と、可視または不可視の電磁波と、の少なくとも一つにより伝搬されるコマンドを検出するコマンド検出部と、
コマンド処理部と、
を備え、
前記コマンド検出部が第１のコマンドを検出したことに応じて、前記表示部が識別情報を表示し、
前記表示部が前記識別情報を表示した後に、前記コマンド検出部が前記識別情報に対応した第２のコマンドを検出した場合に、前記コマンド処理部は、所定の処理を行うか、または第３のコマンドを待つ、
表示装置。
【請求項２】
請求項１に記載の表示装置であって、
前記識別情報をランダムに出力するランダムＩＤ発生部をさらに備え、
前記コマンド検出部が前記第１のコマンドを検出したことに応じて、前記表示部がランダムに出力された前記識別情報を表示する、
表示装置。
【請求項３】
請求項１に記載の表示装置であって、
前記識別情報を記憶する記憶部をさらに備え、
前記コマンド検出部が前記第１のコマンドを検出したことに応じて、前記表示部が前記記憶部に記憶された前記識別情報を表示する、
表示装置。
【請求項４】
請求項１に記載の表示装置であって、
前記他の表示装置と共に使用されているか否かを示す情報を記憶する情報記憶部をさらに備え、
前記情報が前記他の表示装置と共に使用されていることを示す場合に、前記コマンド検出部が第１のコマンドを検出したことに応じて、前記表示部が識別情報を表示し、
前記情報が前記他の表示装置と共に使用されていることを示さない場合に、前記コマンド検出部が第１のコマンドを検出したことに応じて、前記コマンド処理部は、所定の処理を行うか、または第３のコマンドを待つ、
表示装置。
【請求項５】
他の表示装置と共に使用され得る表示装置の制御方法であって、
前記表示装置が、
表示部と、
音と、可視または不可視の電磁波と、の少なくとも一つにより伝搬されるコマンドを検出するコマンド検出部と、
コマンド処理部と、
を備えるものであり、
前記コマンド検出部が第１のコマンドを検出したことに応じて、前記表示部によって識別情報を表示し、
前記表示部が前記識別情報を表示した後に、前記コマンド検出部が前記識別情報に対応した第２のコマンドを検出した場合に、前記コマンド処理部によって、所定の処理を行うか、または第３のコマンドを待つ、
制御方法。
【発明の詳細な説明】
【技術分野】
【０００１】
本発明は、表示装置および表示装置の制御方法に関する。
【背景技術】
【０００２】
１つのコントローラーから複数のディスプレイユニットを制御する場合に、識別ＩＤを表示させ、識別ＩＤを用いて接続を確立することで所望の１台のディスプレイユニットを制御する方法が開示されている（特許文献１を参照）。特許文献１に記載されている表示システムでは、携帯端末と複数のテレビとの間で個別に（すなわち通信相手を特定した）通信を行うことで、携帯端末から、複数のテレビに対して異なる識別子がそれぞれ付与される。そして、テレビに表示された識別子をユーザーが参照し、携帯端末にて所望の識別子をユーザーが選択することで、携帯端末と１台のテレビとの間で接続が確立される。
【先行技術文献】
【特許文献】
【０００３】
【特許文献１】特開２０１１−２５４２３８号公報
【発明の概要】
【発明が解決しようとする課題】
【０００４】
上記の表示システムでは、コントローラーと各ディスプレイユニットとの間で個別に通信を行うことで、各ディスプレイユニットに対して異なる識別ＩＤが付与される。すなわち、識別子を付与する際に、コントローラーと複数のディスプレイユニットとの間で個別に通信を行う必要がある。したがって、通信のための構成の複雑化によってコストが増大したり、一対多の通信を一度に行う場合と比較して処理時間が増大したりすることが問題となることがあるという課題がある。
【０００５】
そこで本発明は、上記の事情を考慮してなされたものであり、簡易な構成や処理で、複数の表示装置からユーザーが所望の表示装置を選択して制御することができる、表示装置および表示装置の制御方法を提供する。
【課題を解決するための手段】
【０００６】
本発明の一態様は、他の表示装置と共に使用され得る表示装置であって、表示部と、音と、可視または不可視の電磁波と、の少なくとも一つにより伝搬されるコマンドを検出するコマンド検出部と、コマンド処理部と、を備え、前記コマンド検出部が第１のコマンドを検出したことに応じて、前記表示部が識別情報を表示し、前記表示部が前記識別情報を表示した後に、前記コマンド検出部が前記識別情報に対応した第２のコマンドを検出した場合に、前記コマンド処理部は、所定の処理を行うか、または第３のコマンドを待つ、表示装置である。
この構成によれば、コマンド検出部によるコマンドの検出と、表示部による識別情報の表示とを行うことで、ユーザーによる所望の表示装置の選択が可能となる。よって容易に表示装置の構成や処理を簡易化することができる。
【０００７】
また、本発明の一態様は、前記識別情報をランダムに出力するランダムＩＤ発生部をさらに備え、前記コマンド検出部が前記第１のコマンドを検出したことに応じて、前記表示部がランダムに出力された前記識別情報を表示する、構成が用いられてもよい。
この構成によれば、表示装置毎に異なる識別情報を予め設定する必要がない。
【０００８】
また、本発明の一態様は、前記識別情報を記憶する記憶部をさらに備え、前記コマンド検出部が前記第１のコマンドを検出したことに応じて、前記表示部が前記記憶部に記憶された前記識別情報を表示する、構成が用いられてもよい。
この構成によれば、異なる表示装置で同一の識別情報が表示されることを避けることができる。
【０００９】
また、本発明の一態様は、前記他の表示装置と共に使用されているか否かを示す情報を記憶する情報記憶部をさらに備え、前記情報が前記他の表示装置と共に使用されていることを示す場合に、前記コマンド検出部が第１のコマンドを検出したことに応じて、前記表示部が識別情報を表示し、前記情報が前記他の表示装置と共に使用されていることを示さない場合に、前記コマンド検出部が第１のコマンドを検出したことに応じて、前記コマンド処理部は、所定の処理を行うか、または第３のコマンドを待つ、構成が用いられてもよい。
この構成によれば、他の表示装置と共に使用されていない場合に、識別情報を表示するための処理を省略することができる。
【００１０】
また、本発明の一態様は、他の表示装置と共に使用され得る表示装置の制御方法であって、前記表示装置が、表示部と、音と、可視または不可視の電磁波と、の少なくとも一つにより伝搬されるコマンドを検出するコマンド検出部と、コマンド処理部と、を備えるものであり、前記コマンド検出部が第１のコマンドを検出したことに応じて、前記表示部によって識別情報を表示し、前記表示部が前記識別情報を表示した後に、前記コマンド検出部が前記識別情報に対応した第２のコマンドを検出した場合に、前記コマンド処理部によって、所定の処理を行うか、または第３のコマンドを待つ、制御方法である。
この構成によれば、コマンド検出部によるコマンドの検出と、表示部による識別情報の表示とを行うことで、ユーザーによる所望の表示装置の選択が可能となる。よって容易に表示装置の構成や処理を簡易化することができる。
【００１１】
以上により、表示装置は、容易に構成や処理を簡易化することができる。
【図面の簡単な説明】
【００１２】
【図１】第１の実施形態に係る表示装置１の構成例を説明するためのブロック図である。
【図２】図１の表示装置１を複数共に使用する場合の取り付け例を説明するための説明図である。
【図３】図１のコネクター１１および図２のダクト４１を示す側面図である。
【図４】図１の光源部１６等の構成例を説明するための説明図である。
【図５】図１の表示装置１を複数共に使用する場合の電源系統の結線例を説明するための説明図である。
【図６】図１の表示装置１を複数共に使用する場合の使用例を説明するための説明図である。
【図７】図１の表示装置１の動作例を説明するためのフローチャートである。
【図８】第２の実施形態に係る表示装置１ａの構成例を説明するためのブロック図である。
【図９】図８の表示装置１ａの動作例を説明するためのフローチャートである。
【図１０】第３の実施形態に係る表示装置１ｂの構成例を説明するためのブロック図である。
【図１１】図１０の表示装置１ｂの動作例を説明するための説明図である。
【図１２】図１０の表示装置１ｂの動作例を説明するためのフローチャートである。
【図１３】第４の実施形態に係る表示装置１ｃの構成例を説明するためのブロック図である。
【図１４】図１３の表示装置１ｃに対してコマンド信号を送信するリモートコントローラ（リモコン）の構成例を説明するためのブロック図である。
【図１５】図１３の表示装置１ｃの動作例を説明するためのフローチャートである。
【図１６】第５の実施形態を説明するためのフローチャートである。
【発明を実施するための形態】
【００１３】
＜第１の実施形態＞
以下、本発明の第１の実施形態について、図面を参照して説明する。図１は、第１の実施形態に係る表示装置１の構成例を説明するためのブロック図である。第１の実施形態の表示装置１は、他のプロジェクターと共に使用され得るプロジェクターとして構成されている。図２は、表示装置１を他の表示装置１と共に使用する場合の設置例を説明するための説明図である。なお、本発明の表示装置は、プロジェクターに限らず、例えば、表示パネルを有するディスプレイであったり、プロジェクターとディスプレイとの両方であったりすることができる。
【００１４】
図１に示した表示装置１は、コネクター１１と、電源部１２と、電源線１３と、スイッチ１４と、光源駆動部１５と、光源部１６と、ライトバルブ１７と、投射レンズ１８と、画像処理部１９と、ライトバルブ駆動部２０とを備えている。図１に示した表示装置１は、さらに、記憶装置２１と、制御部２２と、バス２３と、電源線２４と、信号線２５と、音声処理部３１と、マイク３２とを備えている。
【００１５】
コネクター１１は、図２に示したように天井や壁面に固定されたダクト４１に機械的に支持され、電気的に接続される接続部である。図２に示したダクト４１は、ライティングダクト、ライティングレール等と呼ばれる樋形状の電源供給体であり、例えばＪＩＳ  Ｃ８３６６規格の照明器具用ダクト、電源用ダクト、或いは電源共用ダクトに相当する。ダクト４１には、照明器具、電源供給用のアダプター等を取り付け可能である。図３の側面図では理解の便宜のため、ダクト４１の断面を図示するが、ダクト４１は末端が開口していても、開口していなくてもよい。ダクト４１は、天井面または壁面に設置されて、図示しない商用電源に接続され、コネクター１１を介して表示装置１に電力を供給する。
【００１６】
コネクター１１は、図２に示したように表示装置１の筐体の側面に、ダクト４１に連結可能に構成されている。コネクター１１は、図２および図３に示したように、表示装置１の筐体の側面から上向きに突出する突起形状を有し、コネクター１１の側面には、一対の接触導体１１１、１１１及び一対の係止片１１２、１１２が立設されている。各々の係止片１１２、１１２は平板状に成形され、コネクター１１から互いに反対方向に突出する。また、接触導体１１１、１１１は、銅または他の金属を平板状に成形して構成され、各々の接触導体１１１、１１１はコネクター１１から互いに反対方向に突出する。
【００１７】
ダクト４１は、長尺形状を有する中空の本体に、長手形状に沿って延びる開口４１１を有し、この開口４１１から差し込まれるコネクター１１等を支持する。ダクト４１が天井の取り付け面２に固定された場合、開口４１１は下向きに開口し、下方から表示装置１等を取り付けて吊り下げることができる。また、ダクト４１は壁面に固定してもよく、この場合、開口４１１は水平方向を向いて開口し、横から表示装置１等を取り付けて固定できる。
【００１８】
ダクト４１は、ダクト４１の本体の長手方向に沿って延設された一対の導体４１２、４１２を有する。導体４１２、４１２は棒状またはテープ状に成形された銅または他の金属からなり、商用電源に電気的に接続される。導体４１２、４１２は、例えば商用の１００Ｖ  ２極交流電源に接続され、一方の導体４１２が接地極となり、他方の導体４１２が非接地極となる。また、ダクト４１は、開口４１１より幅の広い部材を係止する溝４１３、４１３を有する。溝４１３、４１３は、ダクト４１の内部において、開口４１１の両側に配置され、この溝４１３、４１３に嵌合する物がダクト４１によって支持される。
【００１９】
表示装置１をダクト４１に取り付ける場合、コネクター１１が開口４１１に差し込まれる。このとき、コネクター１１は、係止片１１２、１１２及び接触導体１１１、１１１がダクト４１の長手方向に沿った向きで、開口４１１に差し入れられる。係止片１１２、１１２及び接触導体１１１、１１１がダクト４１の内部に入ってから、コネクター１１を９０度回転させると、コネクター１１がダクト４１に接続される。コネクター１１を回転させることにより、接触導体１１１、１１１がダクト４１の導体４１２、４１２に接触して導通し、導体４１２、４１２から接触導体１１１、１１１へ電力を供給可能となる。また、係止片１１２、１１２が溝４１３、４１３に填まり込むので、係止片１１２、１１２を介してコネクター１１がダクト４１に固定される。この状態では、コネクター１１はダクト４１の長手方向にも移動しない。
【００２０】
一方、図１に示した電源部１２は、コネクター１１に設けられた接触導体１１１、１１１から、例えば単相２極１００Ｖ交流の電力の供給を受ける。電源部１２は、表示装置１内の制御系の各部に対し電源線２４等を介して３．３Ｖ、５Ｖ等低電圧の直流電源を供給する。また、電源部１２は、より高い電圧の電力を供給可能であり、例えば、電源線１３を介して光源部１６、光源駆動部１５等へ１２Ｖの直流電流を供給する。図１に示した構成では、電源線１３は、スイッチ１４を介して光源駆動部１５に接続されている。スイッチ１４は、信号線２５を介して入力される所定の制御信号によってオンまたはオフ状態に制御される。なお、スイッチ１４は、電源部１２内に設けられていてもよい。
【００２１】
光源駆動部１５は、制御部２２の制御に従い、光源部１６に駆動信号を出力して点灯させる。
【００２２】
光源部１６は、例えば図４に示したように、ＬＥＤ（発光ダイオード）１６１Ｒと、ＬＥＤ１６１Ｇと、ＬＥＤ１６１Ｂと、照射光学系１６２とを備えている。ＬＥＤ１６１ＲはＲ（赤色光）に対応したＬＥＤであり、ＬＥＤ１６１ＧはＧ（緑色光）に対応したＬＥＤであり、そしてＬＥＤ１６１Ｂは（青色光）に対応したＬＥＤである。
【００２３】
光源駆動部１５は光源部１６の各ＬＥＤ１６１Ｒ、ＧおよびＢを点灯させるパルスを出力し、ＬＥＤ１６１Ｒ、ＧおよびＢは入力パルスの周波数で点灯及び消灯を繰り返す。光源駆動部１５は、ＬＥＤ１６１Ｒ、ＧおよびＢに出力するパルスの周波数を変化させることにより各ＬＥＤの発光輝度を調整可能である。
【００２４】
なお、光源部１６は、４つ以上の異なる要素色に対応したＬＥＤを含んでもよいし、２つの異なる要素色に対応したＬＥＤを含んでもよく、白色光を発する１つのＬＥＤを備えた構成であってもよい。また、光源部１６は、ＬＥＤに代えて、有機または無機の半導体レーザー、または有機ＥＬ（エレクトロルミネッセント）素子を備えていてもよいし、ＬＥＤまたはレーザーを励起光源とする蛍光体を含んでいてもよい。さらにまた、光源部１６は、高圧水銀ランプやキセノンランプを備えていてもよい。
【００２５】
照射光学系１６２は、ＬＥＤ１６１Ｒ、ＧおよびＢが発した光を集光して、平行光としてライトバルブ１７に照射する。照射光学系１６２は、ダイクロイックプリズムにより、３つのＬＥＤ１６１Ｒ、ＧおよびＢのそれぞれからの光（光ビーム）の光路を合成する。ダイクロイックプリズムを経た光は、フライアイレンズを含んだインテグレーターにより平行光に変換される。この平行光は偏光変換素子を通ってライトバルブ１７に照射される。
【００２６】
ライトバルブ１７は、単板の透過型液晶ライトバルブである。本実施形態の液晶ライトバルブは、一対の偏光板とその間に位置した液晶パネルとを含んでいる。ライトバルブ駆動部２０は、ライトバルブ１７の液晶パネルを駆動して画像を書き込む。ＬＥＤ１６１Ｒ、ＧおよびＢとライトバルブ１７とは、ＲＧＢシーケンシャル方式、すなわち色順次方式によって駆動される。したがって、表示装置１はフルカラーの画像を投射し得る。そして、ライトバルブ１７により変調された光（画像光）は投射レンズ１８を通じて、壁やスクリーン等の投射対象面に向けて投射される。
【００２７】
画像処理部１９は、制御部２２の制御に従って、投射する画像データを読み出して解像度変換、色調補正、台形歪み補正等の各種処理を行い、処理後の画像データを、フレーム単位でライトバルブ駆動部２０に出力する。ライトバルブ駆動部２０は、画像処理部１９から入力されるフレーム毎の画像データや、制御部２２から入力される制御信号に従って、ライトバルブ１７に対して液晶パネルを駆動する駆動信号を出力する。ライトバルブ駆動部２０が出力する駆動信号により、液晶パネルには画像が描画され、ＬＥＤ１６１Ｒ、ＧおよびＢが発した光が変調される。画像処理部１９は、光源駆動部１５に対して、ＬＥＤ１６１Ｒ、ＧおよびＢの発光状態を調節するための制御信号を出力する。
【００２８】
記憶装置２１は、フラッシュメモリー等を用いて構成された記憶装置である。記憶装置２１は、メモリーカード等の着脱自在に設けられるものであったり、ＳＳＤ（Ｓｏｌｉｄ  Ｓｔａｔｅ  Ｄｒｉｖｅ）等の半固定または固定して内蔵されるものであったり、あるいはその両者であったりすることができる。記憶装置２１は、制御部２２の制御に従って各種データを不揮発的に書き換え可能に記憶する。記憶装置２１は、表示する映像を構成する画像データや、後述する識別情報に対応する画像データ等を予め記憶している。
【００２９】
制御部２２は、図示しないＣＰＵ（中央処理装置）、ＲＯＭ（リードオンリメモリー）、ＲＡＭ（ランダムアクセスメモリー）、不揮発性メモリー、システム・コントローラー及びその他の周辺回路等を備えている。不揮発性メモリーには、オペレーティングソフトウェアや、アプリケーションソフトウェアが記憶され、ＲＯＭにはＢＩＯＳ（Ｂａｓｉｃ  Ｉｎｐｕｔ／Ｏｕｔｐｕｔ  Ｓｙｓｔｅｍ）が記憶されている。制御部２２は、ＲＯＭに記憶されたＢＩＯＳ、不揮発性メモリーに記憶されたオペレーティングソフトウェア及びアプリケーションソフトウェアをＣＰＵにより実行し、各部の制御を行う。制御部２２には、バス２３を介して、記憶装置２１、光源駆動部１５、画像処理部１９、ライトバルブ駆動部２０、音声処理部３１等が接続されている。
【００３０】
制御部２２は、記憶装置２１から画像データを読み出して、光源駆動部１５、画像処理部１９、ライトバルブ駆動部２０等を制御し、読み出した画像データに基づく画像を投射する制御を行う。また、制御部２２は、信号線２５を介して所定の制御信号をスイッチ１４に対して出力し、光源駆動部１５および光源部１６へ供給される電源をオン・オフ制御する。
【００３１】
音声処理部３１は、マイク３２が集音した音信号を変換した結果である電気信号を入力し、音声認識処理等を行い、入力された音声が所定の音声コマンドに一致するか否かを判定し、その結果を制御部２２に対して出力する。音声処理部３１は、入力された音声信号が、予め登録されている単語（例えば「選択」、「確認」、「０」〜「９」等）に一致しているか否かを表す情報を出力する。また、音声処理部３１は、一致している場合にはどの単語に一致しているのかを示す情報も出力する。なお、音声処理部３１は、「音声」に代えて特定の「音」を所定の音声コマンドとして定めてもよい。以下、「音声」を例示して説明するが、音声コマンドには、「音声」と同様に特定の「音」を利用することができる。
【００３２】
マイク３２は、一定の指向性を有するマイクロフォンであり、例えば表示装置１の筐体に下向きに設置されている。
【００３３】
次に、図５および図６を参照して、図１から図４を参照して説明した表示装置１の使用例について説明する。図５は、複数の表示装置１の電源系統の結線例を示した図である。図５は、３台の表示装置１をダクト４１に取り付けた場合の結線例を示している。なお、図５および図６において、図１から図４に示したものと同一の構成には同一の符号を用いている。図５に示した例では、ダクト４１が、壁面等に設置された手動の電源スイッチ５２を介して商用電源５１に接続されている。また、図６に示したように、表示装置１は、壁面に向かって３台並んで設置されている。なお、共に使用される表示装置１の台数は３台に限定されない。また、電源スイッチ５２は、リモコン等を用いて遠隔操作可能なものとしてもよい。
【００３４】
図５に示したように、各表示装置１は、各コネクター１１を介してダクト４１に接続されている。したがって、電源スイッチ５２をオンすることで、各表示装置１は同時に商用電源５１が接続される。商用電源５１に接続されると各表示装置１内の電源部１２は、制御部２２等に電源を供給する。制御部２２は、パワーオンリセットにより所定のプログラムの動作を開始する。制御部２２は、例えば、各部に対して所定の初期化処理を行ったのち、スイッチ１４をオンし、光源駆動部１５および光源部１６に対して所定の電源を入力する制御を行う。この状態で、３台の表示装置１は、それぞれ壁面に対して所定の映像１０１、１０２および１０３を投射する（図６（ａ））。映像１０１、１０２および１０３は、個々の表示装置１が記憶装置２１内に保持している画像データである。各表示装置１は電源スイッチ５２がオンされた場合、保持している画像データを表示する。また、各表示装置１は、電源スイッチ５２をオフすると、各表示装置１に対して入力されていた商用電源が同時に遮断され、各表示装置１は動作を停止する。以上のように、表示装置１は、複数台で使用される場合であっても、例えば壁面の１個の電源スイッチ５２によりオン・オフすることができる。
【００３５】
ただし、電源スイッチ５２をオンし、図６（ａ）に示したように３台の表示装置１で映像１０１、１０２および１０３を表示している際に、例えば１または２台の表示装置１のみの電源をオフ（すなわち映像表示をオフ）したいという場合が生じることがある。図６（ｂ）では、真ん中の表示装置１が電源をオフしている状態を示している。例えば、一時的に別の展示物を設置し、すぐもとに復帰する必要がある場合などである。そこで、表示装置１には、制御部２２の制御下で個別に光源駆動部１５および光源部１６へ供給される電源をオフする機能を持たせている。この機能について図７に示したフローチャートを参照して説明する。
【００３６】
まず、電源スイッチ５２がオンすると、表示装置１は、電源部１２が各部に電源を供給し、制御部２２がスイッチ１４をオンするとともに各部を制御して映像の投射を開始する（ステップＳ１１）。次に、制御部２２は、音声処理部３１の出力を確認し、音声処理部３１の出力に基づいて識別情報を表示するか否かを判断する（ステップＳ１２）。ここで、識別情報とは、複数の表示装置１から各表示装置１を一意に識別するための情報であり、数字、色、文字など単語で表すことができる情報あり、かつ、ユーザーが発声できる情報である。本実施形態では、ユーザーが「選択」という単語の音声コマンドを発した場合に、制御部２２は、ステップＳ１２で、識別情報を表示する指示が行われたと判断する（ステップＳ１２で「Ｙｅｓ」）。この場合、ユーザーが電源をオフしたい所望の表示装置１に近づき、この例での特定の音声コマンドである「選択」という単語を発音したとする。すると、ステップＳ１２で判断結果が「Ｙｅｓ」となって、制御部２２は、ステップＳ１３の処理を行う。
【００３７】
ステップＳ１３では、制御部２２は、識別情報をランダムに生成する（ステップＳ１３）。本実施形態において、ランダムに生成するということは、厳密な乱数を使用するものに限らず、例えば、疑似ランダム関数等を使用して一定の桁数の数字をばらつきをもたせて生成することを意味するものとする。
【００３８】
次に、制御部２２は、ステップＳ１３で生成した識別情報に対応する映像を投射するよう光源部１６、ライトバルブ１７等を制御する（ステップＳ１４）。ステップＳ１４で制御部２２は、ステップＳ１３で生成した識別情報に基づき、記憶装置２１に記憶している映像の中から識別情報に対応する、特定の映像、番号を表す画像、特定の色の映像等を表示するよう、光源部１６、ライトバルブ１７等を制御する。なお、ステップＳ１４で制御部２２は、識別情報とともに、次の操作の説明文等を表示するよう、光源部１６、ライトバルブ１７等を制御してもよい。
【００３９】
次に、ユーザーは、表示された識別情報に対応する映像を参照し、次の音声コマンドを入力するか、あるいは音声コマンドを入力せず一定時間待機する。すなわち、所定の処理を行わせたい（この場合電源をオフしたい）１または複数台の表示装置１のみが、識別情報に対応する映像表示を行った場合、ユーザーは「確認」という単語を発音する。ここで「確認」コマンドは、識別表示を行ったすべての表示装置１が意図したものと一致していた場合に入力する音声コマンドである。
【００４０】
また、識別情報に対応する映像表示を行った複数の表示装置１に、意図しない表示装置１が含まれていた場合、ユーザーは、意図する表示装置１が表示している識別情報にかなった音声コマンドを入力する。例えば、２台の表示装置１が識別情報に対応する映像として、それぞれ「１」と「５」の数字を表示していた場合に、「１」を表示している表示装置１に所定の処理を行わせたいとき、ユーザーは「１」という単語を発音する。また、例えば、３台の表示装置１が識別情報に対応する映像として、それぞれ「１」と「５」と「１２」の数字を表示していた場合に、「１」を表示している表示装置１と「５」を表示している表示装置１に所定の処理を行わせたいとき、ユーザーは「１」という単語と「５」という単語とを所定の間隔をあけて連続的に発音する。
【００４１】
また、識別情報に対応する映像表示を行った複数の表示装置１に、意図した表示装置１が含まれていなかった場合、ユーザーは、一定時間、音声コマンドを入力せずに、再びステップＳ１１で所定の映像表示が行われるまで待機するか、または、ユーザーが「撤回（リセット）」を意味するジェスチャーを行うと、当該ジェスチャーに応じて制御部２２はステップＳ３０１の所定の映像表示を行うステップに移行する。
【００４２】
次に、制御部２２は、ステップＳ１４で識別情報に対応する映像表示を行った後、所定時間内に「確認」または識別情報にかなう単語が音声入力されたか否かを判断する（ステップＳ１５）。ここで、識別情報にかなう単語とは、上述した表示された数字を表す単語、表示されている色を表す単語、特定の映像（例えば動物、植物、食物、風景、人工物等の映像）の名称を表す単語等である。所定時間内に自装置が表示した識別情報に対応した映像にかなった音声入力がなされなかった場合、制御部２２は、所定時間内に「確認」または識別情報にかなう単語が音声入力されなかったと判断し、ステップＳ１１へ戻り所定の映像表示を行う（ステップＳ１５で「Ｎｏ」からステップＳ１１）。他方、所定時間内に自装置が表示した識別情報に対応した映像にかなった音声入力がなされた場合、制御部２２は、所定時間内に「確認」または識別情報にかなう単語が音声入力されたと判断し、ステップＳ１６へ進む（ステップＳ１５で「Ｙｅｓ」からステップＳ１６）。
【００４３】
ステップＳ１６で制御部２２は、自装置を選択対象とする音声コマンドを受け付けたことを表す映像を表示する制御（受付表示）を行い、所定の処理の内容を指定する次の音声コマンドの受付を待機するモードへ移行する（ステップＳ１６）。ステップＳ１６で制御部２２は、例えば複数回画面をＯＮ／ＯＦＦしたり、「了解」等の文言を表示したり、事前に定められたアイコン等を表示する。そして、制御部２２は、受付表示を行うとともにコマンド受付モードに移行する。
【００４４】
次に、制御部２２は、受付表示を行った後、一定時間内に、処理を指定する音声コマンド（この場合、電源オフを指示する音声コマンド）が入力されたか否かを判断する（ステップＳ１７）。ここで、ユーザーは「ＯＦＦ」等の音声でコマンドを伝達する、あるいは手を叩く（拍手）等のある特定の音を発する手段によりコマンドを伝達することで、所望の表示装置１に対して電源のオフを指示する。制御部２２が受付表示を行った後、一定時間内に所定の処理を指定する音声コマンド（この場合、電源オフを指示する音声コマンド）が入力された場合、制御部２２は電源オフを指示する音声コマンドが入力されたと判断する（ステップＳ１７で「Ｙｅｓ」）。一方、制御部２２が受付表示を行った後、一定時間内に所定の処理を指定する音声コマンド（この場合、電源オフを指示する音声コマンド）が入力されなかった場合、制御部２２は電源オフを指示する音声コマンドが入力されなかったと判断し、ステップＳ１１へ戻り所定の映像表示を行う（ステップＳ１７で「Ｎｏ」からステップＳ１１）。
【００４５】
ステップＳ１７で、制御部２２が所定時間内に電源オフを指示する音声コマンドが入力されたと判断した場合、制御部２２は信号線２５に所定の信号を出力し、スイッチ１４をオフし、電源部１２から光源駆動部１５および光源部１６への電力の供給を遮断する（ステップＳ１７で「Ｙｅｓ」からステップＳ１８）。ここで、所望の表示装置１の電源をＯＦＦにすることができる。この一連のシーケンスにより処理が終了する。
【００４６】
本実施形態によれば、仮に、ステップＳ１２で、隣接する複数台の表示装置１が、ある特定の音声コマンド「選択」を認識した場合でも、ステップＳ１５でユーザーが再度音声コマンドで、複数のプロジェクターから所望の任意の１台（または複数台）の表示装置１を選択することで、望まない表示装置１がステップＳ１６でコマンド受付可能となることを避けることが可能となる。
【００４７】
また、本実施形態によれば、複数個のプロジェクター等の表示装置１を順不同に壁面等に設置した場合に、各表示装置１にユニークなＩＤ（識別情報）を設置時に設定することが難しいときでも、識別情報を自動的に生成するので問題がない。つまり、取り付け時にユニークなＩＤを設定しなくても利用することができ、ユーザーの設置時の利便性を向上させることができる。
【００４８】
また、図５および図６を参照して説明した使用形態では、通常は各表示装置１の光源部１６の電源スイッチ（すなわちスイッチ１４）はＯＮになっている。そのため壁の壁面の電源スイッチ５２により全体を一度にＯＮ／ＯＦＦして利用する。しかし、時によっていくつかの表示装置１のスイッチをＯＦＦしなくてはならない時が生じる。そこに一時的に別の展示物を設置し、すぐもとに復帰する必要がある場合などである。その場合は個別に電源のＯＮ／ＯＦＦができる仕掛けが必要であるが、従来の技術では、ユーザーの利用環境によっては超指向性リモコン等の特殊機器を用いたり、特殊なＩＤ割り付け手段を提供したり、あるいは踏み台等にのって個々のプロジェクターを外す等の作業が必要となってしまう。これに対して本実施形態では、容易に複数の表示装置１のうちから任意の表示装置１の光源部１６等の電源ＯＮ／ＯＦＦ（あるいは映像表示のＯＮ／ＯＦＦ）を行うことができる。
【００４９】
また、例えば、天井面に近い位置に併設される場合の通常のリモコン操作では、信号の混線が発生したり、複数のリモコンと複数の表示装置１との対応関係を記憶したり、各表示装置１の識別情報を記憶していたりしなければならない等の問題が生じる。これに対して本実施形態の構成では、ユーザーは、所望の表示装置１に近づいて所定の音声コマンドを入力し、表示された識別情報に対応する映像を確認し、確認の意味の音声コマンドまたは所定の識別情報にかなう音声コマンド等を入力することで所望の表示装置１を選択することができる。よって、上記の各問題を解決することができる。
【００５０】
また、表示装置１は、マイク３２と音声処理部３１等（本発明のコマンド検出部の一構成例）を用いたコマンドの検出と、光源部１６、ライトバルブ１７等（本発明の表示部の一構成例）を用いた識別情報の表示とを行うことで、ユーザーによる所望の表示装置の選択が可能となる。よって容易に表示装置１における構成や処理を簡易化することができる。
【００５１】
なお、本実施形態の構成では、複数の表示装置１でまれに同一の識別情報が生成されることがあるが、その場合、ユーザーは、一定時間経過後に再度識別情報をランダムに生成させることで、識別情報が同一となっている状態を回避することができる。
【００５２】
また、本実施形態の構成では、複数の表示装置１に対して一人のユーザーが音声コマンドを発信した場合に、そのコマンドは、意図した表示装置１以外に届く可能性のあるもの（すなわち意図しない表示装置１までの距離が遠ければ届かないもの）であるが、確認や選択の音声コマンド入力を行うことで、誤選択を防止することができる。
なお、音声によるコマンドを利用する形態は、ユーザーの音声が表示装置１に届く範囲まで、ユーザーが表示装置１に接近できる場合に有効である。
【００５３】
＜第２の実施形態＞
以下、本発明の第２の実施形態について、図面を参照して説明する。図８は、第２の実施形態に係る表示装置１ａの構成例を説明するためのブロック図である。第２の実施形態の表示装置１ａは、他のプロジェクターと共に使用され得るプロジェクターして構成されている。他の表示装置１ａと共に使用される場合の利用形態は、特に説明するものを除き、図５および図６を参照して説明した表示装置１の場合と同一である。図８において、図１に示したものと同一の構成には同一の符号を用いて説明を省略する。また、図９は、表示装置１ａを他の表示装置１ａと共に使用する場合の動作例を説明するためのフローチャートである。
【００５４】
図８に示した第２の実施形態の表示装置１ａは、図１に示した第１の実施形態の表示装置１に対し、ＩＤ設定部３３をさらに備えている点が異なっている。制御部２２の処理が一部異なる点を除き、ＩＤ設定部３３以外の構成は同一である。第１の実施形態の表示装置１では、制御部２２がランダムに識別情報を生成する処理を行うこととしていた。一方、第２の実施形態の表示装置１ａでは、識別情報（すなわちＩＤ）を、プロジェクター等の表示装置１ａの設置前に事前に設定する。
【００５５】
ＩＤ設定部３３は、例えば複数ビット分のオン・オフスイッチからなるディップスイッチを用いて構成することができる。あるいは、ＩＤの設定を、表示装置１ａの製造番号等の固有の番号をＩＤとして用いることもできる。この場合、ＩＤ設定部３３は、制御部２２が実行するプログラムの一部として構成することができる。さらには音声信号入力により任意の名称やニックネーム等をＩＤとして記録させることもできる。事前に設定したＩＤは記憶装置２１内の所定の記憶領域（記憶部）に記憶される。あるいは、参照するたびにディップスイッチ等から読み込むようにしてもよい。この場合、ディップスイッチ等がＩＤの記憶部であると考えることができる。
【００５６】
なお、ＩＤを表示装置１ａの設置前に事前に設定する場合、複数の表示装置１ａに対して事前に登録した個々のプロジェクターのＩＤを何らかの方法で覚えておかなければならないが、ユーザーがずっと記憶していたり、記録したりしておくことは運用上難しい。また、設置環境から考えて筐体に記載してある製造番号等を個別に確認しながら設定することは現実的ではない。そのため下記の処理シーケンスを用いることが望ましい。
【００５７】
すなわち、図９に示したように、ユーザーは、電源オン（すなわち図５の電源スイッチ５２がオンした）後、表示装置１ａは図７のステップＳ１１と同様にして、所定の映像を表示する（ステップＳ２１）。その後、制御部２２は、「ＩＤ表示」等の単語を示す所定の音声コマンドが入力されたか否かを判断する（ステップＳ２２）。ステップＳ２２で制御部２２が「ＩＤ表示」等の単語を示す所定の音声コマンドが入力されたと判断した場合、制御部２２は、記憶装置２１等から予め登録したＩＤを読み出し、読みだしたＩＤをあらかじめ決められた方法で表示する（ステップＳ２２で「Ｙｅｓ」からステップＳ２３）。例えば、既に表示していた映像の一部に重畳してＩＤを表示する、あるいは映像表示をやめて、ＩＤを大きく表示する等の方法がある。
【００５８】
次に、制御部２２は、ステップＳ２３でＩＤ表示を行ってから所定の時間内に、「確認」を表す音声コマンドや、表示したＩＤにかなった音声コマンドが入力されたか否かを判断する（ステップＳ２４）。ここで、例えばユーザーが各表示装置１ａのＩＤ表示状態を確認し、所望の表示装置１ａのみがＩＤ表示を行っている場合、「確認」と発音するか、あるいはそのＩＤを音声入力することで、選択状態を確定することができる。あるいは、所望の表示装置１ａと意図しない表示装置１ａの両者が混在してＩＤ表示を行っている場合、所望の表示装置１ａのＩＤを音声入力等することで、対象となる表示装置１ａを選択する。
【００５９】
制御部２２は、ステップＳ２４で「確認」との音声コマンドが入力された場合または自装置のＩＤにかなった音声コマンドが入力された場合、ステップＳ２４の判断条件が成立したとして、スイッチ１４をオフし、映像表示を停止する（ステップＳ２４で「Ｙｅｓ」からステップＳ２５）。この一連のシーケンスにより処理が終了する。
【００６０】
なお、図９を参照して説明した処理では、図７に示したステップＳ１６の処理、すなわち受付表示とコマンド受付モードで待機する処理とを省略している。そのため、表示装置１ａに対しては、所定の処理として電源をオフさせる処理（すなわち映像表示を停止させる処理）のみ行わせることができる。ただし、図９の処理に、図７のステップＳ１６およびＳ１７に相当する処理を追加して、所定の処理を選択可能とすることもできる。また、本実施形態によれば、適切にＩＤを事前登録することで、異なる表示装置１ａで同一のＩＤが表示されることを避けることができる。
なお、第２の実施形態においても、第１の実施形態と同様、音声によるコマンドを利用する形態は、ユーザーの音声が表示装置１ａに届く範囲まで、ユーザーが表示装置１ａに接近できる場合に有効である。
【００６１】
＜第３の実施形態＞
以下、本発明の第３の実施形態について、図面を参照して説明する。図１０は、第３の実施形態に係る表示装置１ｂの構成例を説明するためのブロック図である。第３の実施形態の表示装置１ｂは、他のプロジェクターと共に使用され得るプロジェクターして構成されている。他の表示装置１ｂとの利用形態は、特に説明するものを除き、図５および図６を参照して説明した表示装置１の場合と同一である。図１０において、図１に示したものと同一の構成には同一の符号を用いて説明を省略する。また、図１１は、表示装置１ｂの動作例を説明するための模式図である。また、図１２は、表示装置１ｂを他の表示装置１ｂと共に使用する場合の動作例を説明するためのフローチャートである。
【００６２】
図１０に示した第３の実施形態の表示装置１ｂは、図１に示した第１の実施形態の表示装置１に対し、撮像画像処理部３４と、カメラ３５とを設けた点が異なっている。なお、図１０の表示装置１ｂでは、音声処理部３１とマイク３２（図８）の記載を省略しているが、音声処理部３１とマイク３２をそのまま設けていてもよい。
【００６３】
図１０の表示装置１ｂにおいて、カメラ３５は、光源部１６、ライトバルブ１７および投射レンズ１８が投射する光束の光路（図１１の光路３００）を含むシーンを撮像する画像センサである。そして、撮像画像処理部３４は、カメラ３５の動作を制御するとともに、カメラ３５が撮像した画像に対して所定の画像認識処理等を行い、撮像した画像に含まれているユーザー（図１１のユーザー２００）が行った特定のジェスチャーを認識し、認識した結果を示す情報を出力する。ここで、ジェスチャーとしては、たとえば、手を横に振る、縦に振る、円を描くなどのユーザーが動作することができるものがある。
【００６４】
第１の実施形態の表示装置１および第２の実施形態の表示装置１ａが音声コマンド入力にてコマンドを入力したのに対して、第３の実施形態の表示装置１ｂでは、ユーザーが特定のジェスチャーを行うことでコマンド入力を行う。そのため、表示装置１ｂでは、ＣＣＤやＣＭＯＳなどの撮像素子を備えたカメラ等の撮像部により、表示装置１ｂ前面の映像を取得する。そしてユーザーがカメラ３５の撮像範囲に入り、ある特定のジェスチャーを行うことで、表示装置１ｂに所定のコマンド入力を行うことができる。
【００６５】
図１０の表示装置１ｂは、図１２に示したように、まず、電源スイッチ５２がオンすると、電源部１２が各部に電源を供給し、制御部２２がスイッチ１４をオンするとともに各部を制御して映像の投射を開始する（ステップＳ３０１）。次に、制御部２２は、撮像画像処理部３４を介してカメラ３５を制御して画像を取得するとともに、撮像画像処理部３４が取得した画像に対して画像認識処理を行う（ステップＳ３０２）。次に、制御部２２は、撮像画像処理部３４の出力に基づいて識別情報を表示するか否かを判断する（ステップＳ３０３）。本実施形態では、ユーザーが「選択」という意味のジェスチャーを行った場合に、制御部２２は、ステップＳ３０３で、識別情報を表示すると判断する（ステップＳ３０３で「Ｙｅｓ」）。この場合、ユーザーが電源をオフしたい所望の表示装置１ｂのカメラ３５の撮像範囲内に入り、この例での特定のコマンドである「選択」という意味の特定のジェスチャーを行ったとする。すると、ステップＳ３０３で判断結果が「Ｙｅｓ」となって、制御部２２は、ステップＳ３０４の処理を行う。
【００６６】
ステップＳ３０４では、図７のステップＳ１３と同様にして制御部２２が、識別情報をランダムに生成する（ステップＳ３０４）。次に、制御部２２は、図７のステップＳ１４と同様にしてステップＳ３０４で生成した識別情報に対応する映像を投射するよう光源部１６、ライトバルブ１７等を制御する（ステップＳ３０５）。
【００６７】
次に、制御部２２は、所定のジェスチャーが認識されるまで、所定時間連続して、撮像画像処理部３４を介してカメラ３５を制御して画像を取得するとともに、撮像画像処理部３４によって取得した画像に対して画像認識処理を行う（ステップＳ３０６）。ここで、ユーザーは、表示された識別情報に対応する映像を参照し、次のジェスチャーを行うか、あるいはジェスチャーを行わずに一定時間待機する。すなわち、所定の処理を行わせたい（この場合電源をオフしたい）１または複数台の表示装置１ｂのみが、識別情報に対応する映像表示を行った場合、ユーザーは「確認」という意味のジェスチャーを行う。
【００６８】
また、識別情報に対応する映像表示を行った複数の表示装置１ｂに、意図しない表示装置１ｂが含まれていた場合、ユーザーは、意図する表示装置１ｂが表示している識別情報にかなったジェスチャーを行う。例えば、２台の表示装置１が識別情報に対応する映像として、それぞれ「１」と「５」の数字を表示していた場合に、「１」を表示している表示装置１ｂに所定の処理を行わせたいとき、ユーザーは例えば手を「１」回振るというジェスチャーを行う。あるいは指を「１」本立てるジェスチャーを行う。
【００６９】
また、識別情報に対応する映像表示を行った複数の表示装置１ｂに、意図した表示装置１ｂが含まれていなかった場合、ユーザーは、一定時間、ジェスチャーを行わず、再びステップＳ３０１で所定の映像表示が行われるまで待機するか、または、ユーザーが「撤回（リセット）」を意味するジェスチャーを行うと、当該ジェスチャーに応じて制御部２２はステップＳ３０１の所定の映像表示を行うステップに移行する。
【００７０】
次に、制御部２２は、ステップＳ３０４で所定時間内に「確認」の意味のジェスチャーまたは識別情報にかなうジェスチャーが入力されたか否かを判断する（ステップＳ３０７）。所定時間内に自装置が表示した識別情報に対応した映像にかなったジェスチャー（すなわち確認のジェスチャーまたは自装置の識別情報にかなうジェスチャー）が行われなかった場合、制御部２２は、所定時間内に「確認」または識別情報にかなうジェスチャーが入力されなかったと判断し、ステップＳ３０１へ戻り所定の映像表示を行う（ステップＳ３０７で「Ｎｏ」からステップＳ３０１）。他方、ステップＳ３０６で所定時間内に自装置が表示した識別情報に対応した映像にかなったジェスチャーが認識された場合、制御部２２は、所定時間内に「確認」のジェスチャーまたは識別情報にかなうジェスチャーが入力されたと判断し、ステップＳ３０８へ進む（ステップＳ３０７で「Ｙｅｓ」からステップＳ３０８）。
【００７１】
ステップＳ３０８で制御部２２は、自装置を選択対象とするジェスチャーを受け付けたことを表す映像を表示する制御（受付表示）を行い、所定の処理の内容を指定する次のジェスチャーの受付を待機するモードへ移行する（ステップＳ３０８）。ステップＳ３０８で制御部２２は、例えば複数回画面をＯＮ／ＯＦＦしたり、「了解」等の文言を表示したり、事前に定められたアイコン等を表示する。そして、制御部２２は、受付表示を行うとともにコマンド受付モードに移行する。
【００７２】
次に、制御部２２は、所定のジェスチャーが認識されるまで、所定時間連続して、撮像画像処理部３４を介してカメラ３５を制御して画像を取得するとともに、撮像画像処理部３４によって取得した画像に対して画像認識処理を行う（ステップＳ３０９）。次に、制御部２２は、ステップＳ３０９で一定時間内に、所定の処理（この場合電源オフの処理）を指定するジェスチャーが認識されたか否かを判断する（ステップＳ３１０）。ここで、ユーザーは「ＯＦＦ」等を意味するジェスチャーを行うことで、所望の表示装置１ｂに対して電源のオフを指示する。
【００７３】
ステップＳ３１０では、制御部２２がステップＳ３０９で所定時間内に電源オフを指示するジェスチャーが認識されたと判断した場合、制御部２２は信号線２５に所定の信号を出力し、スイッチ１４をオフし、電源部１２から光源駆動部１５および光源部１６への電力の供給を遮断する（ステップＳ３１０で「Ｙｅｓ」からステップＳ３１１）。ここで、所望の表示装置１ｂの電源をＯＦＦにすることができる。この一連のシーケンスにより処理が終了する。
【００７４】
本実施形態では、ユーザーが所望の表示装置１ｂを選択したのち、再度特定のジェスチャー（手を振る等）を行うことで表示装置１ｂはＯＦＦコマンドの受け付けを確認し、電源をＯＦＦする。特定の動作の一つとしては、表示装置１ｂのカメラ３５の視野から消える等でも良い。
また、ジェスチャーによるコマンドを利用する形態は、ユーザーが表示装置１ｂのカメラ３５の撮像範囲内に入ることができる場合に有効である。この場合、ユーザーの音声が表示装置１ｂに届きにくい場合や、表示装置から投射される面の近くから操作を行う場合などの場合に有効である。
【００７５】
＜第４の実施形態＞
以下、本発明の第４の実施形態について、図面を参照して説明する。図１３は、第４の実施形態に係る表示装置１ｃの構成例を説明するためのブロック図である。第４の実施形態の表示装置１ｃは、他のプロジェクターと共に使用され得るプロジェクターして構成されている。他の表示装置１ｃとの利用形態は、特に説明するものを除き、図５および図６を参照して説明した表示装置１の場合と同一である。図１３において、図１に示したものと同一の構成には同一の符号を用いて説明を省略する。また、図１４は、表示装置１ｃに対して所定のコマンドを入力するためのリモコン（あるいはスマートフォン等の携帯端末装置）（以下、代表してリモコンとして説明を行う。）の構成例を説明するためのブロック図である。また、図１５は、表示装置１ｃを他の表示装置１ｃと共に使用する場合の動作例を説明するためのフローチャートである。
【００７６】
図１３に示した第４の実施形態の表示装置１ｃは、図１に示した第１の実施形態の表示装置１に対し、無線信号処理部３６と、無線信号受信部３７と、表示装置１ｃの外部からの無線信号を受信するように設けられたアンテナ（あるいは受光素子）３８とを備えている点が異なっている。なお、図１３の表示装置１ｃでは、音声処理部３１とマイク３２とを省略しているが、そのまま設けていてもよい。無線信号受信部３７は、リモコン６０が送信する無線信号を受信して復調した信号をデジタル信号として出力する受信器である。無線信号処理部３６は、無線信号受信部３７の出力信号を入力し、特定のコマンドに該当する場合にその旨を示す信号を制御部２２に対して出力する。
【００７７】
また、図１４に示したリモコン６０は、アンテナ（あるいは発光素子）６１と、信号発生部６２と、表示部６３と、信号選択部６４と、制御部６５と、電源部６６とを備えている。信号発生部６２は、所定のコマンドを表す可視または不可視の電磁波により伝搬される信号を発生する。表示部６３は、選択候補のコマンドを表す情報等を表示する。信号選択部６４は、ユーザーの操作を入力するための操作部からなり、例えば表示部６３上に形成されたタッチパネル、複数の番号キーからなるテンキー等である。制御部６５は、各部を制御する。そして、電源部６６は、各部に所定の電力を供給する。リモコン６０は、赤外線、微弱電波、特定小電力、Ｂｌｕｅｔｏｏｔｈ（登録商標）、Ｚｉｇｂｅｅ（登録商標）、８０２．１１ｘ等の無線信号を発生する信号発生部６２により選択信号や所定の処理を指示するコマンドを発生し、アンテナ６１から送信する。
【００７８】
次に、図１５を参照して、本実施形態の表示装置１ｃの動作例について説明する。まず、電源スイッチ５２がオンすると、表示装置１ｃは、電源部１２が各部に電源を供給し、制御部２２がスイッチ１４をオンするとともに各部を制御して映像の投射を開始する（ステップＳ４１）。次に、制御部２２は、無線信号処理部３６の出力に基づいて識別情報を表示するか否かを判断する（ステップＳ４２）。本実施形態では、ユーザーがリモコン６０を操作し、「選択」という意味のコマンド信号をリモコン６０から発し、それを無線信号受信部３７が受信して無線信号処理部３６が「選択」コマンドであると認識した場合に、制御部２２は、ステップＳ４２で、識別情報を表示すると判断する（ステップＳ４２で「Ｙｅｓ」）。この場合、ユーザーが電源をオフしたい所望の表示装置１ｃに近づき、この例での特定のコマンドである「選択」というコマンドをリモコン６０から送信したとする。すると、ステップＳ４２で判断結果が「Ｙｅｓ」となって、制御部２２は、ステップＳ４３の処理を行う。
【００７９】
ステップＳ４３では、図１のステップＳ１３と同様にして、制御部２２は、識別情報をランダムに生成する（ステップＳ４３）。次に、制御部２２は、図１のステップＳ１４と同様にして、ステップＳ４３で生成した識別情報に対応する映像を投射するよう光源部１６、ライトバルブ１７等を制御する（ステップＳ４４）。
【００８０】
次に、ユーザーは、表示された識別情報に対応する映像を参照し、次のコマンドをリモコン６０を操作して送信するか、あるいはコマンドを送信せず一定時間待機する。すなわち、所定の処理を行わせたい（この場合電源をオフしたい）１または複数台の表示装置１ｃのみが、識別情報に対応する映像表示を行った場合、ユーザーは「確認」という意味のコマンドを送信する。また、識別情報に対応する映像表示を行った複数の表示装置１ｃに、意図しない表示装置１ｃが含まれていた場合、ユーザーは、意図する表示装置１ｃが表示している識別情報にかなったコマンドをリモコン６０で選択して送信する。例えば、２台の表示装置１ｃが識別情報に対応する映像として、それぞれ「１」と「５」の数字を表示していた場合に、「１」を表示している表示装置１ｃに所定の処理を行わせたいとき、ユーザーは「１」という数字を示すコマンドをリモコン６０から送信する。
【００８１】
また、識別情報に対応する映像表示を行った複数の表示装置１ｃに、意図した表示装置１ｃが含まれていなかった場合、ユーザーは、一定時間、コマンドを送信せず、再びステップＳ４１で所定の映像表示が行われるまで待機するか、または、ユーザーが「撤回（リセット」を意味するジェスチャーを行うと、当該ジェスチャーに応じて制御部２２はステップＳ４１の所定の映像表示を行うステップに移行する。
【００８２】
次に、制御部２２は、ステップＳ４４で識別情報に対応する映像表示を行った後、所定時間内に「確認」または識別情報にかなうコマンドがリモコン６０から送信されたか否かを判断する（ステップＳ４５）。所定時間内に自装置が表示した識別情報に対応した映像にかなったコマンドが受信されなかった場合、制御部２２は、所定時間内に「確認」または識別情報にかなうコマンドが受信されなかったと判断し、ステップＳ４１へ戻り所定の映像表示を行う（ステップＳ４５で「Ｎｏ」からステップＳ４１）。他方、所定時間内に自装置が表示した識別情報に対応した映像にかなったコマンドが受信された場合、制御部２２は、所定時間内に「確認」または識別情報にかなうコマンドが受信されたと判断し、ステップＳ４６へ進む（ステップＳ４５で「Ｙｅｓ」からステップＳ４６）。
【００８３】
ステップＳ４６で制御部２２は、自装置を選択対象とするコマンドを受け付けたことを表す映像を表示する制御（受付表示）を行い、所定の処理の内容を指定する次のコマンドの受付を待機するモードへ移行する（ステップＳ４６）。ステップＳ４６で制御部２２は、例えば複数回画面をＯＮ／ＯＦＦしたり、「了解」等の文言を表示したり、事前に定められたアイコン等を表示する。そして、制御部２２は、受付表示を行うとともにコマンド受付モードに移行する。
【００８４】
次に、制御部２２は、受付表示を行った後、一定時間内に、処理を指定するコマンド（この場合、電源オフを指示するコマンド）が受信されたか否かを判断する（ステップＳ４７）。ここで、ユーザーはリモコン６０を操作して「ＯＦＦ」等のコマンドを伝達することで、所望の表示装置１ｃに対して電源のオフを指示する。制御部２２が受付表示を行った後、一定時間内に所定の処理を指定するコマンド（この場合、電源オフを指示するコマンド）が受信された場合、制御部２２は電源オフを指示するコマンドが受信されたと判断する（ステップＳ４７で「Ｙｅｓ」）。一方、制御部２２が受付表示を行った後、一定時間内に所定の処理を指定するコマンド（この場合、電源オフを指示するコマンド）が受信されなかった場合、制御部２２は電源オフを指示するコマンドが入力されなかったと判断し、ステップＳ４１へ戻り所定の映像表示を行う（ステップＳ４７で「Ｎｏ」からステップＳ４１）。
【００８５】
ステップＳ４７で、制御部２２が所定時間内に電源オフを指示するコマンドが受信されたと判断した場合、制御部２２は信号線２５に所定の信号を出力し、スイッチ１４をオフし、電源部１２から光源駆動部１５および光源部１６への電力の供給を遮断する（ステップＳ４７で「Ｙｅｓ」からステップＳ４８）。ここで、所望の表示装置１ｃの電源をＯＦＦにすることができる。この一連のシーケンスにより処理が終了する。
【００８６】
上述したように、本実施形態の表示装置１ｃは、アンテナ３８、無線信号受信部３７および無線信号処理部３６を用いて、ユーザーから受け付けるコマンドを、微弱電波等の無線信号を利用して受け入れる。ユーザーは所望のプロジェクター等の表示装置１ｃに向けて赤外線、微弱電波、特定小電力等の無線信号により選択信号やコマンド信号を送信する。そして、選択された表示装置１ｃは何らかのユニークな手段で選択されたことを表示する。複数内蔵されている中からランダムに選択した特定のアイコン、ランダムな番号、ランダムに選択された色等を表示する。
【００８７】
仮に隣接する複数台の表示装置１ｃが同時に選択された場合でも、表示装置１ｃはユニークな選択番号、アイコン等を表示しているため、ユーザーがその選択番号等をリモコン６０の信号選択部６４より入力して送信することで一台の表示装置１ｃの選択が可能となる。そして、ユーザーはコマンド受付モードとなった表示装置１ｃに対し「ＯＦＦ」信号を送信することで電源のＯＦＦを行うことができる。
なお、無線を用いてコマンドを送る形態は、ユーザーから表示装置１ｃまでの間に電波を通す遮蔽物が設けられている場合に特に有効である。
【００８８】
＜第５の実施形態＞
以下、本発明の第５の実施形態について、図面を参照して説明する。図１６は、第５の実施形態の動作例を説明するためのブロック図である。第５の実施形態は、上述した第１から第４の実施形態における動作を一部変形する、第１から第４の実施形態の変形例としての実施形態である。第５の実施形態では、図１等に示した記憶装置２１内にタイリングフラグを記憶する記録領域（情報記憶部）を設定する。タイリングフラグとは、表示装置１等が他の表示装置１等と共に使用されているか（あるいは併設されているか）否かを示す情報を表す１ビットのデータである。タイリングフラグはユーザーが表示装置１等に対して所定のコマンドを入力したり、ディップスイッチ等を設定したりすることで設定することができる。
【００８９】
本実施形態では、電源スイッチ５２がオンされると、まず制御部２２が記憶装置２１（情報記憶部）からタイリングフラグ（情報）を読み込み（ステップＳ５１）、タイリングフラグの値に基づいてタイリングされているか否かを判断する（ステップＳ５２）。ここで、タイリングされているとは、他の表示装置１等と共に使用されるように設置されている場合を意味する。制御部２２は、タイリングされていない場合、コマンド待ち処理を行う（ステップＳ５２で「Ｎｏ」からステップＳ５３）。そして、制御部２２は、コマンド待ち処理中に「ＯＦＦ」等のコマンドを受信した場合、受信したコマンドを実行する（ステップＳ５４で「Ｙｅｓ」からステップＳ５５）。一方、コマンドを受信しない場合には（ステップＳ５４で「Ｎｏ」）、ステップＳ５３へ戻りコマンド待ち処理を行う。他方、ステップＳ５５で受信したコマンドを実行した場合もステップＳ５３へ戻りコマンド待ち処理を行う。
【００９０】
一方、ステップＳ５２でタイリングされていると判断された場合（ステップＳ５２で「Ｙｅｓ」の場合）、制御部２２は、図７のステップＳ１１、図９のステップＳ２１、図１２のステップＳ３０１、または、図１５のステップＳ４１以降の処理を実行する（ステップＳ５６）。
【００９１】
なお、本実施形態ではステップＳ５４で所定のコマンドが受信されたと判断された場合（ステップＳ５４で「Ｙｅｓ」の場合）、確認処理を行うことなく認識したコマンドをステップＳ５５ですぐに実行している。ただし、コマンドの実行処理はこれに限定されず、例えば、認識したコマンドを実行していいか否かを再確認するコマンド入力を求める処理を追加することもできる。
【００９２】
なお、本実施形態におけるコマンドとは、第１および第２の実施形態における音声入力コマンド、第３の実施形態におけるジェスチャーによるコマンド、または第４の実施形態における無線信号を用いて入力されるコマンドである。
【００９３】
本実施形態では、他の表示装置１等と共に使用されていない場合に、識別情報の表示処理等を省略し、制御部２２による処理を効率化することができる。
【００９４】
上述した様に、本発明の各実施形態によれば、所定のコマンド検出部によるコマンドの検出と、表示部による識別情報の表示とを行うことで、ユーザーによる所望の表示装置の選択が可能となる。よって容易に表示装置の構成や処理を簡易化することができる。ここで、コマンド検出部とは、図１および図８に示す構成では音声処理部３１とマイク３２と制御部２２とに対応する構成である。また、コマンド検出部は、図１０に示す構成では撮像画像処理部３４とカメラ３５と制御部２２とに対応する構成である。また、コマンド検出部は、図１３に示す構成では無線信号処理部３６と無線信号受信部３７とアンテナ３８と制御部２２とに対応する構成である。また、表示部とは、図１等に示した光源駆動部１５、光源部１６、画像処理部１９、ライトバルブ１７、ライトバルブ駆動部２０および制御部２２に対応する構成である。また、本発明のコマンド処理部とは、制御部２２に対応する構成である。
【００９５】
また、本発明の第１のコマンドは、図７のステップＳ１２で受信の有無が判断される「選択」という単語の音声コマンドに対応している。さらに、本発明の第１のコマンドは、図９のステップＳ２２で受信の有無が判断される「ＩＤ表示」等の単語を示す所定の音声コマンドに対応している。さらに、本発明の第１のコマンドは、図１２のステップＳ３０３で受信の有無が判断される「選択」という意味のジェスチャーに対応している。さらに、本発明の第１のコマンドは、図１５のステップＳ４２で受信の有無が判断される「選択」という意味のコマンド信号に対応している。さらに、本発明の第１のコマンドは、図１６のステップＳ５４で受信の有無が判断される所定のコマンド信号に対応している。
【００９６】
また、本発明におけるコマンドは、音声コマンド、ジェスチャー（可視の電磁波により伝搬されるコマンドの一例）、リモコンからの微弱電波等の無線信号（不可視の電磁波により伝搬されるコマンドの一例）、その他、意図した表示装置以外に届く可能性のある指示信号（すなわち意図しない表示装置までの距離が遠ければ届かないもの）であり、音声（音）と、可視または不可視の電磁波と、の少なくとも一つにより伝搬されるものである。
【００９７】
また、本発明における識別情報は、数字、色、文字などユーザーが発声できる情報、手を横に振る、縦に振る、円を描くなどのユーザーが動作できるもの、リモコンのテンキー―の番号等に対応している。
【００９８】
また、本発明の第２のコマンドは、図７のステップＳ１５で受信の有無が判断される「確認」または識別情報にかなう単語の音声入力に対応している。さらに、本発明の第２のコマンドは、図９のステップＳ２４で受信の有無が判断される「確認」を表す音声コマンドや、表示したＩＤにかなった音声コマンドに対応している。さらに、本発明の第２のコマンドは、図１２のステップＳ３０７で受信の有無が判断される「確認」の意味のジェスチャーまたは識別情報にかなうジェスチャーに対応している。さらに、本発明の第２のコマンドは、図１５のステップＳ４５で受信の有無が判断される「確認」または識別情報にかなうコマンドに対応している。
【００９９】
また、本発明の第３のコマンドは、図７のステップＳ１８で実行される電源のＯＦＦ等の処理に対応した音声コマンドに対応している。さらに、本発明の第３のコマンドは、図１２のステップＳ３１１で実行される電源のＯＦＦ等の処理に対応したジェスチャーに対応している。さらに、本発明の第３のコマンドは、図１５のステップＳ４８で実行される電源のＯＦＦ等の処理に対応したコマンドに対応している。さらに、本発明の第３のコマンドは、図１６の変形例として説明した認識したコマンドの実行する際の再確認において入力が求められるコマンドに対応している。
【０１００】
ユーザーからのコマンドに応じてステップＳ１８（図７）、Ｓ２５（図９）等で制御部２２が実行する所定の処理は、電源のＯＦＦ以外に、電源をONにしたまま投射光の輝度を低下（またはゼロ）にする「ミュート」、表示装置の制御用のメニュー画像の表示、投射する画像コンテンツの切り替え、画像コンテンツの入力ソースの切り替え、画像投射から照明投射への切り替え、等がある。
【０１０１】
また、本発明のコマンド処理部は、制御部２２に対応している。
【０１０２】
なお、上記の実施形態では、ユーザーが所望の表示装置に行わせる所定の処理の一例として、電源オフすなわち表示部をオフする処理を挙げたが、所定の処理はこれに限定されない。例えば、電源オフ状態とした表示装置のみの電源を再度オンする処理、表示状態や表示映像を変更あるいは調整するための処理等、任意である。また、音声入力、ジェスチャー入力、無線信号入力を組み合わせて、選択（すなわち識別情報の表示指示）、確認、識別情報の選択、コマンド指定等の指示を行うようにしてもよい。
また、上記のライトバルブは、透過型液晶に限らず、反射型液晶であってもよい。ライトバルブは液晶に限らず、ＤＭＤ（デジタルミラーデバイス）であってもよい。
また、表示装置をプロジェクターとして説明したが、表示装置は、表示面を液晶パネルで構成する液晶表示装置等であってもよい。
【０１０３】
なお、以上に説明した装置（例えば、表示装置１）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【０１０４】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１０５】
１、１ａ、１ｂ、１ｃ…表示装置、１１…コネクター、１２…電源部、１４…スイッチ、１５…光源駆動部、１６…光源部、１７…ライトバルブ、１８…投射レンズ、１９…画像処理部、２０…ライトバルブ駆動部、２１…記憶装置、２２…制御部、３１…音声処理部、３２…マイク、３３…ＩＤ設定部、３４…撮像画像処理部、３５…カメラ、３６…無線信号処理部、３７…無線信号受信部、３８…アンテナ、４１…ダクト、５１…商用電源、５２…電源スイッチ、６０…リモコン
【図１】
2015172684.tif 000003
【図２】
2015172684.tif 000004
【図３】
2015172684.tif 000005
【図４】
2015172684.tif 000006
【図５】
2015172684.tif 000007
【図６】
2015172684.tif 000008
【図７】
2015172684.tif 000009
【図８】
2015172684.tif 000010
【図９】
2015172684.tif 000011
【図１０】
2015172684.tif 000012
【図１１】
2015172684.tif 000013
【図１２】
2015172684.tif 000014
【図１３】
2015172684.tif 000015
【図１４】
2015172684.tif 000016
【図１５】
2015172684.tif 000017
【図１６】
2015172684.tif 000018